(57)【要約】      （修正有）【解決手段】ダンボール製のゴミ箱２の上縁４の全周にわたって少なくとも８個の切り欠き６を設け、切り欠き６の下部には、それぞれ下向きのスリット８をさらに設ける。【効果】ダンボール製のゴミ箱の縁に多数の切り欠きが設けてあるので、スーパーのレジ袋などを自在な箇所に取り付けることができる。そのため様々なサイズの袋が取り付け可能であり、スーパーのレジ袋などの有効利用が図れる。【選択図】図１
0003214684.tif 000002
【実用新案登録請求の範囲】
【請求項１】
上縁部の全周にわたって少なくとも８個の切り欠きが設けられ、前記切り欠きの下部には下向きのスリットがさらに設けられたことを特徴とする、ゴミ箱。
【請求項２】
ダンボールからなることを特徴とする、請求項１のゴミ箱。
【請求項３】
前記ゴミ箱の底面に、組み上げ自在の４枚のフラップを設けたことを特徴とする、請求項２に記載のゴミ箱。
【請求項４】
上縁部の全周にわたって少なくとも８個の切り欠きを設けるためのミシン目と、前記切り欠きを設けるためのミシン目の下部に、下向きのスリットを設けるためのミシン目とが形成されたことを特徴とする、ダンボールのゴミ箱。
【考案の詳細な説明】
【技術分野】
【０００１】
この考案は、スーパ−のレジ袋などを取り付けて使用する、ゴミ箱に関する。
【背景技術】
【０００２】
従来、スーパーのレジ袋などを取り付けるためのゴミ箱が提案されている。袋の取っ手を引っかかるために４個のスリットを設けたもの（特開2010-37088）や、２個の耳部を設けたもの（特開平8-282802）が見受けられる。また、ゴミ箱の縁に数個の切り込みを設けてゴミ袋をセットする提案（実用新案登録第3060908号）もある。
【先行技術文献】
【特許文献】
【０００３】
【特許文献１】特開２０１０−３７０８８号
【特許文献２】特開平８−２８２８０２号
【特許文献２】実用新案登録第３０６０９０８号
【考案の概要】
【考案が解決しようとする課題】
【０００４】
スーパーの袋、いわゆるレジ袋やその他のビニール袋などをゴミ袋として再利用することは、資源を有効に活用することにつながる。地球環境のためにも、ゴミ削減、ＣＯ2削減は重要課題となっている。
そのため、レジ袋や様々な袋を有効利用するための便利なゴミ箱が求められる。レジ袋にも大小様々なサイズがあり、レジ袋以外では取っ手の無いものもあり、さらに取っ手の形状も様々である。
この考案の課題は、ゴミ袋のサイズや形状に関わらず、様々な袋をゴミ袋として有効利用するためのゴミ箱を提供することにある。
【課題を解決するための手段】
【０００５】
この考案のゴミ箱は、上縁部の全周にわたって少なくとも８個の切り欠きが設けられ、前記切り欠きの下部には下向きのスリットがさらに設けられていることを特徴とする。
ゴミ箱の上縁部の全周に設けた、少なくとも８個の切り欠きと、その下部の下向きのスリットとにより、ゴミ袋のサイズに応じて任意の位置にゴミ袋の取っ手を引っ掛けたり、ゴミ袋の縁をスリットに挟み込んで取り付けることができる。
【０００６】
これら切り欠きとスリットとは、数を増やすことによってさらに様々な取り付け方が可能になる。例えば、多数の切り欠きとスリットとをゴミ箱の全周に渡って設けると、ゴミ箱の開口部いっぱいにゴミ袋の口を広げて何カ所にも固定できる。あるいは小さな複数個のゴミ袋を並べて取り付けたり、重ねて取り付けることも可能である。
切り欠きにゴミ袋の取っ手などを引っ掛けることができ、その下部に設けたスリットに取っ手やゴミ袋の縁を挟み込んでしっかりと固定できる。
【０００７】
好ましくは、この考案のゴミ箱は、ダンボールからなることを特徴とする。ダンボール製のゴミ箱は、弾力性がありその断面には適度な摩擦力が生じるので、ゴミ袋をスリットに挟み込むことが容易で、かつ抜け落ちにくく取り付けることができる。さらに  吸水性があるので生ゴミ用のゴミ箱にも適しており、使い捨てすることもできるという利点がある。さらには軽量で持ち運びも容易である。
【０００８】
また好ましくは、前記ゴミ箱の底面に、組み上げ自在の４枚のフラップを設けたことを特徴とする。ゴミ箱の組み立て、潰しが容易にできるので、例えばゴミ箱が必要なときに組み立てて使用すれば良く、その他の時には折り畳んでおけば場所を取らずに収納できる。
【０００９】
またこの考案のダンボールのゴミ箱は、上縁部の全周にわたって少なくとも８個の切り欠きを設けるためのミシン目と、前記切り欠きを設けるためのミシン目の下部に、下向きのスリットを設けるためのミシン目とが形成されていることを特徴とする。
加工の容易なダンボール製のゴミ箱であるため、ミシン目を予め形成しておくことで、使用に際してミシン目部分を切って切り欠きとスリットを設けることができる。使用する者は、ゴミ箱の開口部（上縁部）に多数設けられたミシン目のうち、任意の箇所のミシン目を手やはさみで切れば良い。これらミシン目は手やはさみ、カッターなどで簡単に切ることができる。
【図面の簡単な説明】
【００１０】
【図１】実施例のゴミ箱とその使用方法とを示す図
【図２】別の実施例のゴミ箱とその使用方法とを示す図
【図３】別の実施例のゴミ箱のさらに別の使用方法を示す図
【図４】実施例のゴミ箱の上縁部の切り欠き部の形状を示す図で、(a)、(b)、(c)の３種類を示す
【図５】(a)に変形例のゴミ箱の展開図を、(ｂ）に変形例のゴミ箱を組み上げた状態を示す図
【図６】さらに別の実施例例のゴミ箱を示す図
【考案を実施するための形態】
【００１１】
以下に、本願考案の最適実施例を示す。本願考案の実施に際しては、当業者の常識及び先行技術の開示に従い、実施例を適宜に変更できる。
【実施例】
【００１２】
図１〜６を用い、実施例のゴミ箱を説明する。実施例のゴミ箱２にゴミ袋１０を取り付けた様子を、図１に示す。図において、ゴミ箱２は、ダンボールで形作られている。ゴミ箱の上縁部（開口部３の縁）４には、多数の切り欠き部６と切り欠き部６の下部にはそれぞれスリット８とが全周に渡り等間隔で設けられている。切り欠き部６とスリット８の数は、ゴミ箱のサイズによって異なるが、少なくとも上縁部４の全周で８個設ける。大きなゴミ箱であればこれらの数は多数となるが、例えば卓上ゴミ箱のように小さなものである場合には、８個などとする。切り欠き部６の幅は、ゴミ箱２の上縁部に設けた個数により決まる。切り欠き部６の深さやスリット８の深さは、ゴミ袋１０の取っ手１２，１２や縁１４を引っ掛けたり、挟み込んだりするのに適したものとする。なお図１では、ゴミ袋１０は、レジ袋などの取っ手をゴミ箱２に取り付けている。
【００１３】
ゴミ袋１０の取っ手などは、まず切り欠き部６に引っ掛けられ、さらに下方に力をかけてスリット８に挟み込まれる。切り欠き部６の形状は任意であるが、上縁部４に角部が生じないよう丸み９を設けて切り欠いたものにすると、ゴミ袋を取り付けやすく、角部で折れたりせず、手へのアタリも柔らかくできる。スリット８はゴミ袋の縁などをしっかりと挟み込んで固定する。またゴミ箱２にはダンボールを使用しているため切り欠き部６やスリット８の断面には弾力性があり、ゴミ袋を挟み込み易く、滑らずに保持させることができる。
【００１４】
図１では、レジ袋などのゴミ袋１０の取っ手１２，１２を引っ張った状態で保持させているので、ゴミ箱１０の開口部３いっぱいに広がった状態でゴミ袋１０を取り付けることができる。
【００１５】
図１のゴミ箱２は他の素材によるものであっても、もちろん良い。その場合であっても、多数個設けた切り欠き部とスリットとでゴミ袋を挟み込んで固定できる。また、円筒形のゴミ箱の上縁部に多数の切り欠き部とスリットとを設けても良い。
【００１６】
取っ手が無いゴミ袋を取り付けた状態を図２に示す。図２でのゴミ箱２０の上縁部４には、別の形状の切り欠き部６０とスリット８とが形成されている。ゴミ袋１００の縁１４０の何カ所かを任意の位置の切り欠き部６０とスリット８０とに挟み込んで、ゴミ箱２０の開口部３に合わせるように広げている。
【００１７】
図３に、ゴミ箱２０へのゴミ袋の取り付けの別の例を示す、取っ手付きの大きなゴミ袋１０をまず取り付けてから、取っ手付きの小さなゴミ袋１０’をさらに重ねて取り付けている。このようにゴミ袋を取り付ければ、ゴミの大小で分別したり、ゴミの種類、例えば生ゴミとその他のゴミとを分別することなどが可能になる。さらに図示はしていないが、小さなゴミ袋を幾つも並べて取り付けることで、ゴミの分別が容易になる。
実施例のゴミ箱を使用することで、様々なサイズのゴミ袋を有効利用でき、しかもゴミの分別などに便利である。
【００１８】
図４ (a)〜(c)に、３種類の切り欠き部の形状を示す。切り欠き部の形状は任意であるが、ゴミ袋の取っ手や縁を引っ掛けやすく、スリットに挟み込みやすいものとする。なお、図４の切り欠き部６２，６３，６４及びスリット８を破線で示しているが、これは、ダンボールのゴミ箱の上縁部の切り欠き部とスリットの部分にミシン目を入れた状態であることを示している。ゴミ箱を使用する者が、使用に際して任意の部分のミシン目を切って、切り欠き部とスリットとを形成可能とする。ゴミ箱の全周に切り欠き部とスリットとを設けるように全てのミシン目を切っても良いが、例えばゴミ袋のサイズや形に合わせて必要な箇所のミシン目を切るようにしても良い。このような作業は、子どもの工作教室で楽しく行うことができ、また、老人のための手指の訓練として行っても良い。さらにゴミ箱の側面に意匠を施すなどして、任意のデザインのゴミ箱を作成することができる。ダンボールのゴミ箱であるため、このような作業は簡単に施せ、万人にとって楽しむことができる。
【００１９】
図５（a）に変形例のダンボール製ゴミ箱４０の展開図を、（b）に組み上げた状態を示す。ゴミ箱４０は、底部分４２がテープなどが不要ないわゆる組底にするために、４枚のフラップ３２，３４，３６，３８を設ける。のりしろ３０で側面３１に接合して折り畳んでおくと、組み立てが簡単で容易にゴミ箱を形成することができる。このように簡単に組み上げができるダンボールは、組底タイプのほか、ワンタッチタイプと呼ばれるものもある。実施例のゴミ箱の底部がこのようにワンタッチで組み立てることができれば、使用に際して便利で、不要な場合はワンタッチで畳むこともできる。
【００２０】
もちろんダンボールのタイプはこれに限るものではなく、そのほか差込式で組み立てるものや、底のフラップがつき合わせたものであっても良く、フラップが重なり合うオーバーフラップとよばれるものなど、任意のダンボールを使用しても良い。
【００２１】
さらにダンボールの素材は、古紙の含有率が多いＣライナを使用したり、強度に応じて，例えば軽量用のＢフルートやＥフルートなどを使用すれば、安価で使い捨てもできる。
デザイン性を考慮するときは、例えばカラーダンボールを使用しても良く、必要に応じて任意のサイズ、デザインのゴミ箱を手作りすることができる。
【００２２】
図６に、別の実施例のゴミ箱２００を示す。比較的小さな卓上ゴミ箱などの場合、切り欠き６２とスリット８の数は、開口部３の全周長さに応じて少なくて良い。小さなゴミ箱を例えば卓上用などとして側面に意匠７０などを施せば、可愛らしく実用的なゴミ箱を提供でき、子どもにとっても楽しいものが作成できる。図６に示すように、ゴミ袋１０を取り付けた後に、ゴミ箱２００にゴミ投入口２１０を形成した蓋２１２をかぶせて、見た目をすっきりとさせてもよい。
【００２３】
実施例のゴミ箱によれば、
・スーパーのレジ袋など、色々な袋を有効利用することができる、
・用途に応じて大小様々なサイズのゴミ箱が簡単に作成できる、
・様々な用途に利用できる。例えば、ダンボールのゴミ箱であれば濡れても良く、生ゴミ用に利用しても水分を吸収するので、漏れる心配が無い、
・ダンボールのごみ箱は安価であるので、汚れれば使い捨てすることができる。
・子供や老人にとっても優しい素材である、
・折り畳み、組み上げが容易で、保管時や収納時にコンパクトである、
・加工が容易で、使用者の各自が任意の意匠を施して楽しむことができる、
など利点がある。
【符号の説明】
【００２４】
２，２０，４０，２００        ゴミ箱
３                            ゴミ箱の開口部
４                            ゴミ箱の上縁部
６，６０，６２，６３，６４    切り欠き部
８                            スリット
１０，１０’，１００            ゴミ袋
１２                          ゴミ袋の取っ手
１４，１４０                  ゴミ袋の縁
３０                          のりしろ
３１                          側面
３２，３４，３６，３８        フラップ
４２                          底面
７０                          意匠
２１０                        ゴミ投入口
２１２                        蓋
【図１】
0003214684.tif 000003
【図２】
0003214684.tif 000004
【図３】
0003214684.tif 000005
【図４】
0003214684.tif 000006
【図５】
0003214684.tif 000007
【図６】
0003214684.tif 000008